(57)【特許請求の範囲】
【請求項１】
媒体をセット可能なセット部と、
記録する部分に対応する第１画像データと、記録されない部分に対応する第２画像データと、を含む画像データに基づいて、前記セット部にセットされた前記媒体であるセット媒体に、前記第１画像データに対応する記録画像を記録可能な記録部と、
前記セット媒体における前記記録画像の記録位置を指定可能な指定部と、
前記指定部により指定された前記記録位置に基づいて、前記セット媒体に前記記録画像を記録させる制御部と、を備え、
前記制御部は、前記記録位置に基いて前記セット媒体に記録しようとする前記記録画像の少なくとも一部が、前記セット媒体の記録範囲から外れてしまう場合は、前記記録画像の少なくとも一部が前記セット媒体の前記記録範囲から外れてしまうことを報知し、
前記指定部は、前記画像データにおける前記記録画像の最初に記録される部分に対応する画像位置、に対応する指定位置を前記セット媒体において指定することにより、前記記録位置を指定可能であることを特徴とする記録装置。
【請求項２】
請求項１に記載の記録装置において、
前記指定部は、前記画像データの第１画像位置に対応する第１指定位置と、前記画像データの第２画像位置に対応する第２指定位置と、を前記セット媒体において指定することにより、前記記録位置を指定可能であることを特徴とする記録装置。
【請求項３】
請求項１に記載の記録装置において、
前記指定部は、前記画像データの第１画像位置に対応する第１指定位置と、前記セット媒体に対する前記記録画像の形成角度と、を指定可能であることを特徴とする記録装置。
【請求項４】
媒体をセット可能なセット部と、記録する部分に対応する第１画像データと、記録されない部分に対応する第２画像データと、を含む画像データに基づいて、前記セット部にセットされた前記媒体であるセット媒体に、前記第１画像データに対応する記録画像を記録可能な記録部と、を備える記録装置における記録方法であって、
前記セット媒体における前記記録画像の記録位置を指定し、
指定された前記記録位置に基づいて、前記セット媒体に前記記録画像を記録し、
前記記録位置に基いて前記セット媒体に記録しようとする前記記録画像の少なくとも一部が、前記セット媒体の記録範囲から外れてしまう場合は、前記記録画像の少なくとも一部が前記セット媒体の前記記録範囲から外れてしまうことを報知し、
前記画像データにおける前記記録画像の最初に記録される部分に対応する画像位置、に対応する指定位置を前記セット媒体において指定することにより、前記記録位置を指定することを特徴とする記録方法。
【発明の詳細な説明】
【技術分野】
【０００１】
本発明は、記録装置及び記録方法に関する。
【背景技術】
【０００２】
従来から、セット部にセットされた媒体に記録画像を記録可能な記録装置が使用されている。このような記録装置においては、媒体のセット位置ずれに伴う記録画像の記録位置ずれが生じる場合がある。  
そこで、例えば、特許文献１には、セット部としてのベッドにセットされた媒体（被プリント物）を撮像し、撮像手段で撮像されることにより得られたデータを基に、媒体のセット位置ずれに伴う記録画像の記録位置ずれを抑制することを目的とした記録装置（インクジェットプリント装置）が開示されている。
【先行技術文献】
【特許文献】
【０００３】
【特許文献１】ＷＯ０３／３１１９０号公報
【発明の概要】
【発明が解決しようとする課題】
【０００４】
しかしながら、引用文献１の記録装置では、撮像手段の取り付け位置のずれや撮像時のブレなどにより、媒体のセット位置ずれに伴う記録画像の記録位置ずれが適切に抑制できない場合があった。
【０００５】
そこで、本発明の目的は、媒体のセット位置ずれに伴う記録画像の記録位置ずれを抑制することを目的にする。
【課題を解決するための手段】
【０００６】
上記課題を解決するための本発明の第１の態様の記録装置は、媒体をセット可能なセット部と、画像データに基づいて、前記セット部にセットされた前記媒体であるセット媒体に記録画像を記録可能な記録部と、前記セット媒体における前記記録画像の記録位置を指定可能な指定部と、前記指定部により指定された前記記録位置に基づいて、前記セット媒体に前記記録画像を記録させる制御部と、を備えることを特徴とする。
【０００７】
本発明の第２の態様の記録装置は、前記第１の態様において、前記指定部は、前記画像データにおける所定の画像位置に対応する指定位置を前記セット媒体において指定することにより、前記記録位置を指定可能であることを特徴とする。
【０００８】
本発明の第３の態様の記録装置は、前記第１の態様において、前記画像データにおける任意の画像位置の指定を受け付ける受付部を備え、前記指定部は、前記セット媒体において前記任意の画像位置に対応する指定位置を指定することにより、前記記録位置を指定可能であることを特徴とする。
【０００９】
本発明の第４の態様の記録装置は、前記第１から第３のいずれか１つの態様において、前記指定部は、前記画像データの第１画像位置に対応する第１指定位置と、前記画像データの第２画像位置に対応する第２指定位置と、を前記セット媒体において指定することにより、前記記録位置を指定可能であることを特徴とする。
【００１０】
本発明の第５の態様の記録装置は、前記第１から第３のいずれか１つの態様において、前記指定部は、前記画像データの第１画像位置に対応する第１指定位置と、前記セット媒体に対する前記記録画像の形成角度と、を指定可能であることを特徴とする。
【００１１】
本発明の第６の態様の記録装置は、前記第１から第５のいずれか１つの態様において、前記指定部は、前記セット部における前記媒体のセット面に設けられた加圧センサーであり、加圧されることで前記記録位置を指定可能であることを特徴とする。
【００１２】
本発明の第７の態様の記録装置は、前記第１から第５のいずれか１つの態様において、前記指定部は、前記セット部における前記媒体のセット面と対向する対向位置における位置情報を取得可能であり、前記位置情報を前記制御部に送信することで前記記録位置を指定可能であることを特徴とする。
【００１３】
本発明の第８の態様の記録方法は、媒体をセット可能なセット部と、画像データに基づいて、前記セット部にセットされた前記媒体であるセット媒体に記録画像を記録可能な記録部と、を備える記録装置における記録方法であって、前記セット媒体における前記記録画像の記録位置を指定する指定し、指定された前記記録位置に前記記録画像を記録することを特徴とする。
【発明の効果】
【００１４】
本発明によれば、媒体のセット位置ずれに伴う記録画像の記録位置ずれを抑制すること
ができる。
また、本発明の記録装置は、媒体をセット可能なセット部と、記録する部分に対応する第１画像データと、記録されない部分に対応する第２画像データと、を含む画像データに基づいて、前記セット部にセットされた前記媒体であるセット媒体に、前記第１画像データに対応する記録画像を記録可能な記録部と、前記セット媒体における前記記録画像の記録位置を指定可能な指定部と、前記指定部により指定された前記記録位置に基づいて、前記セット媒体に前記記録画像を記録させる制御部と、を備え、前記制御部は、前記記録位置に基いて前記セット媒体に記録しようとする前記記録画像の少なくとも一部が、前記セット媒体の記録範囲から外れてしまう場合は、前記記録画像の少なくとも一部が前記セット媒体の前記記録範囲から外れてしまうことを報知し、前記指定部は、前記画像データにおける前記記録画像の最初に記録される部分に対応する画像位置、に対応する指定位置を前記セット媒体において指定することにより、前記記録位置を指定可能であることを特徴とする記録装置であってもよい。
【図面の簡単な説明】
【００１５】
【図１】本発明の実施例１に係る記録装置の概略斜視図。
【図２】本発明の実施例１に係る記録装置の概略斜視図。
【図３】本発明の実施例１に係る記録装置の概略正面図。
【図４】本発明の実施例１に係る記録装置のブロック図。
【図５】本発明の実施例１に係る記録装置で使用可能な媒体を表す概略斜視図。
【図６】本発明の実施例１に係る記録装置に媒体をセットした状態を表す概略平面図。
【図７】本発明の実施例１に係る記録装置と共に使用可能なＰＣのモニターにおいて媒体をセットした状態の表示例を表す概略図。
【図８】本発明の実施例１に係る記録装置を用いて実行する記録位置の指定を説明するための図。
【図９】本発明の実施例２に係る記録装置に媒体をセットした状態を表す概略平面図。
【発明を実施するための形態】
【００１６】
以下に、本発明の実施例に係る記録装置について、添付図面を参照して詳細に説明する。  
［実施例１］（図１〜図８）  
最初に、本発明の実施例１に係る記録装置について説明する。  
図１及び図２は本発明の実施例１に係る記録装置１の概略斜視図であり、このうち図１は本実施例の記録装置１の媒体Ｍ（図５参照）のセット部としてのトレイ４が記録開始位置にある状態、図２はトレイ４が媒体Ｍのセット位置にある状態を表している。  
また、図３は、本実施例の記録装置１の概略正面図である。
【００１７】
本実施例の記録装置１は、媒体Ｍを支持した状態で移動方向Ａに移動する媒体支持ユニット２を備えている。媒体支持ユニット２は、媒体Ｍをセット可能なセット部であり支持部でもあるトレイ４を有している。記録装置１は、トレイ４に支持された媒体Ｍを移動方向Ａに搬送する媒体搬送部３を備えている。また、トレイ４はステージ５に載置されている。トレイ４はステージ５と共に、回転レバー２０を回転させることにより、高さ方向Ｃに移動する。  
なお、詳細は後述するが、トレイ４の媒体Ｍのセット面２５には加圧センサーＳ１が設けられており、セット面２５を押圧することで、該押圧された位置がセット面２５のどの位置であるかを制御部８（図４参照）において把握できる構成になっている。
【００１８】
また、記録装置１の本体内部にはインクを吐出して媒体Ｍに記録することが可能な記録ヘッド７が備えられている。本実施例において、記録ヘッド７は、トレイ４にセットされた媒体Ｍであるセット媒体Ｍ１（図５（Ｂ）参照）に記録画像Ｐｉ（図６参照）を記録可能な記録部に相当する。そして、本実施例の記録装置１は、記録ヘッド７が設けられたキャリッジ６を移動方向Ａと交差する交差方向Ｂに往復移動させることで、記録ヘッド７を交差方向Ｂに往復移動させながら、記録ヘッド７からトレイ４に支持されたセット媒体Ｍ１にインクを吐出させて所望の記録画像Ｐｉを形成する。なお、本実施例の記録装置１は、図１及び図２中の手前側（左下方向）がトレイ４への媒体Ｍのセット位置（図２に対応）であり、図１及び図２中の奥側（右上方向）の記録開始位置（図１に対応）まで媒体Ｍをセットしたトレイ４を移動した後、手前側にトレイ４を移動しながら記録する。
【００１９】
なお、本実施例の記録装置１は、交差方向Ｂに往復移動しながら記録する記録ヘッド７を備えているが、インクを吐出するノズルを移動方向Ａと交差する交差方向Ｂに複数設けた所謂ラインヘッドを備える記録装置でもよい。  
ここで、「ラインヘッド」とは、媒体Ｍの移動方向Ａと交差する交差方向Ｂに形成されたノズルの領域が、媒体Ｍの交差方向Ｂ全体をカバー可能なように設けられ、記録ヘッド又は媒体Ｍを相対的に移動させて記録画像Ｐｉを形成する記録装置に用いられる記録ヘッドである。なお、ラインヘッドの交差方向Ｂのノズルの領域は、記録装置が対応している全ての媒体Ｍの交差方向Ｂ全体をカバー可能でなくてもよい。  
また、本実施例の記録ヘッド７は、媒体Ｍにインクを吐出することで記録可能な記録部であるが、このような記録部に限定されず、例えば、色材を媒体Ｍに転写して記録する転写式の記録部を使用してもよい。
【００２０】
また、本実施例の記録装置１は、図３で表されるように、ＰＧ（トレイ４に支持される媒体Ｍと記録ヘッド７との間隔）センサーＳ２を備えており、ＰＧの異常（媒体Ｍと記録ヘッド７との間隔が狭すぎること）の有無を検出することができる構成になっている。  
ここで、ＰＧセンサーＳ２は、発光部Ｓｅと受光部Ｓｒとを有している。そして、ＰＧセンサーＳ２は、発光部Ｓｅから受光部Ｓｒに向けて光を照射し、受光部Ｓｒで該光を受光したか否かに基づいて、ＰＧの異常の有無を検出する構成である。ただし、ＰＧセンサーの構成に特に限定はない。
【００２１】
また、本実施例の記録装置１は、記録に関する各種操作を受け付ける操作パネル１９を備えている。
【００２２】
次に、本実施形態の記録装置１における電気的な構成について説明する。  
図４は、本実施例の記録装置１のブロック図である。  
制御部８には、記録装置１の全体の制御を司るＣＰＵ９が設けられている。ＣＰＵ９は、システムバス１０を介して、ＣＰＵ９が実行する各種制御プログラムやメンテナンスシーケンス等を格納したＲＯＭ１１と、データを一時的に格納可能なＲＡＭ１２と、に接続されている。
【００２３】
また、ＣＰＵ９は、システムバス１０を介して、記録ヘッド７を駆動するためのヘッド駆動部１３と接続されている。  
また、ＣＰＵ９は、システムバス１０を介して、モーター駆動部１７と接続されている。そして、モーター駆動部１７は、記録ヘッド７が設けられたキャリッジ６を移動させるためのキャリッジモーター１４、媒体Ｍを搬送するために媒体搬送部３に設けられた搬送モーター１５、と接続されている。  
さらに、ＣＰＵ９は、システムバス１０を介して、入出力部１８と接続されており、入出力部１８は、加圧センサーＳ１、ＰＧセンサーＳ２、操作パネル１９、モニター２３を有し画像データＩ（図７参照）等のデータ及び信号の送受信を行うためのＰＣ１６と接続されている。
【００２４】
上記のように、本実施例の記録装置１は、媒体Ｍをセット可能なセット部であるトレイ４を備えている。言い換えれば、記録装置１は、媒体Ｍをセット可能なセット部４を備えている。このとき、セット部４にセットされた状態の媒体Ｍのことを、セット媒体Ｍ１と呼称する。また、記録装置１は、画像データＩに基づいてトレイ４にセットされた媒体Ｍであるセット媒体Ｍ１に記録画像Ｐｉを記録可能な記録部７と、を備えている。換言すれば、記録装置１は、画像データＩに基づいて、セット部４にセットされた媒体Ｍであるセット媒体Ｍ１に記録画像Ｐｉを記録可能な記録部７を備えている。  
ここで、加圧センサーＳ１は、セット媒体Ｍ１における記録画像Ｐｉの記録位置を指定可能な指定部Ｓとしての役割を有している。そして、制御部８は、加圧センサーＳ１により指定された記録位置に記録画像Ｐｉを記録するよう制御することができる。言い換えれば、制御部８は、指定部Ｓにより指定された記録位置に基づいて、セット媒体Ｍ１に記録画像Ｐｉを記録させる。  
このため、媒体Ｍのトレイ４に対するセット位置ずれが生じていた場合でも、加圧センサーＳ１により記録位置を指定することで、媒体Ｍのセット位置ずれに伴う記録画像Ｐｉの記録位置ずれを抑制することができる構成になっている。さらに、加圧センサーＳ１により記録位置を指定することで、ユーザーにとって好ましい位置に記録位置を変更して記録することもできる構成になっている。  
なお、ここで、「記録位置」とは、「セット媒体Ｍ１における記録する場所」という意味のほか、「セット媒体Ｍ１に対して記録する角度」であってもよい意味である。
【００２５】
また、別の表現をすると、本実施例の記録装置１を用いて、セット媒体Ｍ１における記録画像Ｐｉの記録位置を指定する指定工程と、該指定工程で指定された記録位置に記録画像Ｐｉを記録する記録工程と、を実行できる。つまり、本実施例に係る記録方法は、媒体Ｍをセット可能なセット部４と、画像データＩに基づいて、セット部４にセットされた媒体Ｍであるセット媒体Ｍ１に記録画像Ｐｉを記録可能な記録部７と、を備える記録装置における記録方法であって、セット媒体Ｍ１における記録画像Ｐｉの記録位置を指定し、指定された記録位置に基づいて、セット媒体Ｍ１に記録画像Ｐｉを記録するものである。  
このため、媒体Ｍのセット位置ずれが生じていた場合でも、指定工程により記録位置を指定することで、媒体Ｍのセット位置ずれに伴う記録画像Ｐｉの記録位置ずれを抑制することができるとともに、ユーザーにとって好ましい位置に記録位置を変更して記録することもできる。
【００２６】
以下に、加圧センサーＳ１を用いて行う記録位置の指定方法について説明する。  
ここで、図５は本実施例の記録装置１で使用可能な媒体Ｍを表す概略斜視図であり、このうち、図５（Ａ）はトレイ４にセットされる前の状態を表しており、図５（Ｂ）はトレイ４にセットされた状態を表している。  
また、図６は、本実施例の記録装置１に媒体Ｍをセットした状態を表す概略平面図である。  
また、図７は、本実施例の記録装置１と共に使用可能なＰＣ１６のモニター２３において媒体Ｍをセットした状態の表示例を表す概略図である。  
そして、図８は本実施例の記録装置１を用いて実行する記録位置の指定を説明するための図である。このうち、図８（Ａ）は、媒体Ｍのセット位置ずれがなく記録位置の指定を行うことなく記録画像Ｐｉをセット媒体Ｍ１に形成した状態を表している。また、図８（Ｂ）は、媒体Ｍのセット位置ずれ（セット部分の場所のずれ）があり、記録位置（記録する場所）を変更して記録画像Ｐｉをセット媒体Ｍ１に形成した状態を表している。また、図８（Ｃ）は、媒体Ｍのセット位置ずれ（セットする角度のずれ）があり、記録位置（記録する記録画像Ｐｉの角度）を変更して記録画像Ｐｉをセット媒体Ｍ１に形成した状態を表している。また、図８（Ｄ）は、媒体Ｍのセット位置ずれ（セットする角度のずれ）があり、さらに、記録位置（記録する記録画像Ｐｉの角度）と共に記録画像Ｐｉの大きさを変更して記録画像Ｐｉをセット媒体Ｍ１に形成した状態を表している。
【００２７】
上記のように、本実施例の記録装置１は、トレイ４の媒体Ｍのセット面２５には加圧センサーＳ１が設けられており、セット面２５を押圧することで、該押圧された位置がセット面２５のどの位置であるかを制御部８において把握できる構成になっている。  
詳細には、本実施例の記録装置１は、ユーザーの指や図６で表されるようなタッチペン２１の先端部２２などにより、トレイ４にセットされたセット媒体Ｍ１を介して加圧センサーＳ１が設けられたセット面２５を押圧することで、記録位置を指定可能である。
【００２８】
例えば、図７で表されるようなモニター２３で表示される画像データＩにおける所定の画像位置Ｉ０や画像位置Ｉ１に対応する、図６で表されるような指定位置Ｐ０や指定位置Ｐ１を、セット媒体Ｍ１において指定する（すなわちユーザーがタッチペン２１などで押圧する）ことにより、加圧センサーＳ１は記録位置を指定可能である。換言すれば、指定部Ｓは、画像データＩにおける所定の画像位置（Ｉ０やＩ１）に対応する指定位置（Ｐ０やＰ１）をセット媒体Ｍ１において指定することにより、記録位置を指定可能である。  
ここで、図７における画像データＩは、記録する部分に対応する画像データＩｐと記録されない部分に対応する画像データＩｎとを含んでいる。そして、ここでは、画像位置Ｉ０は該画像データＩの端部の画素のデータの位置に該当し、画像位置Ｉ１は画像データＩｐのうちの端部の画素のデータ（記録画像Ｐｉの最初に記録される部分に対応する部分）の位置に該当している。  
また、図６における画像範囲Ｐは、画像データＩに対応する範囲を表しており、画像データＩｐに対応して記録される記録画像Ｐｉと画像データＩｎに対応して記録されない非記録画像Ｐｎとを含むものである。すなわち、画像範囲Ｐにおいて実際に記録される画像は記録画像Ｐｉのみである。そして、指定位置Ｐ０は画像位置Ｉ０に対応し、指定位置Ｐ１は画像位置Ｉ１に対応している。  
このように、予め所定の画像位置を決めておくことで、加圧センサーＳ１で指定位置を指定するという１ステップで簡単に記録位置を指定可能である。例えば、予め所定の画像位置を画像位置Ｉ１（記録画像Ｐｉの最初に記録される部分に対応する部分）に決めておき、タッチペン２１などでセット面２５を押圧することで、押圧された部分を指定位置Ｐ１（最初に記録される部分）として記録画像Ｐｉを記録することができる。  
なお、「所定の画像位置」に特に限定はないが、例えば、本実施例のように、画像データＩにおける端部の画素のデータに対応する画像位置Ｉ０や、記録画像Ｐｉの最初に記録される部分に対応する部分の画像位置Ｉ１などとすることができる。
【００２９】
また、ユーザーは、ＰＣ１６を用いて、ポインタ２４により画像データＩの任意の画像位置を指定することができる。ここで、本実施例の記録装置１は、受付部としての役割を有する制御部８において該画像位置を受け付けることができる。つまり、記録装置１は、画像データＩにおける任意の画像位置の指定を受け付ける受付部８を備えている。そして、加圧センサーＳ１は、セット媒体Ｍ１において該画像位置に対応する指定位置を指定する（すなわちユーザーがタッチペン２１などで押圧する）ことにより記録位置を指定可能である。言い換えれば、指定部Ｓは、セット媒体Ｍ１において任意の画像位置に対応する指定位置を指定することにより、記録位置を指定可能である。  
このように、本実施例の加圧センサーＳ１は、制御部８が受け付けた任意の画像位置に対応する指定位置を指定することにより記録位置を指定可能である。すなわち、例えば、ユーザーがモニター２３で任意の画像位置として画像位置Ｉ１を指定し、指定された画像位置Ｉ１に対応する指定位置Ｐ１を加圧センサーＳ１で指定する（タッチペン２１などで押圧する）ことにより、ユーザーにとってより好ましい記録位置を指定できる構成になっている。
【００３０】
上記した記録位置の指定例（画像位置Ｉ１に対応する指定位置Ｐ１の指定例）について、図８（Ａ）及び（Ｂ）を用いて別の観点から説明すると、以下の通りである。  
媒体Ｍのセット位置ずれがなく記録位置の指定を行う必要が無い場合、図８（Ａ）で表されるように、記録画像Ｐｉはセット媒体Ｍ１の所望の場所である中心付近に形成される。  
しかしながら、図８（Ｂ）で表されるように、媒体Ｍのセット位置ずれ（セット部分の場所のずれ）がある場合、記録位置（記録する場所）を変更して記録画像Ｐｉをセット媒体Ｍ１に形成する必要がある。記録する場所を変更しないと破線で表される場所（所望の場所である中心付近ではない場所）に記録画像Ｐｉが形成されてしまうためである。そこで、指定位置Ｐ１の位置を、変更前（標準状態）の位置Ｐ１ｂから変更後の位置Ｐ１ａにすることにより、媒体Ｍの所望の場所である中心付近に記録画像Ｐｉを形成することができる。  
なお、本記録位置の指定例では、媒体Ｍの中心付近を記録位置に指定しているが、指定位置に特に限定はなく、媒体Ｍの端部付近などにしてもよい。また、指定位置を媒体Ｍの端部付近にすることなどで所望の記録画像Ｐｉの少なくとも一部が媒体Ｍの記録範囲から外れてしまう場合は、そのことを操作パネル１９やモニター２３などで報知させてもよい。
【００３１】
また、本実施例の記録装置１では、加圧センサーＳ１は、画像データＩの第１画像位置（例えば画像データＩｐのうち記録画像Ｐｉの最初に記録される部分に対応する部分）に対応する画像範囲Ｐの第１指定位置（例えば記録画像Ｐｉの最初に記録される部分）と、セット媒体Ｍ１に対する記録画像Ｐｉの形成角度と、を指定可能である。言い換えれば、指定部Ｓは、画像データＩの第１画像位置に対応する第１指定位置と、セット媒体Ｍ１に対する記録画像Ｐｉの形成角度と、を指定可能である。  
具体的には、第１指定位置と第２指定位置（例えば画像Ｐｉの最後に記録される部分）とを指定することで、第１指定位置を基準とした記録位置を決めることができる。そして、第１指定位置及び第２指定位置を結ぶ指定位置直線と、画像データＩの第１指定位置に対応する第１画像位置及び第２指定位置に対応する第２画像位置を結ぶ画像位置直線と、に基づいて、セット媒体Ｍ１に対する記録画像Ｐｉの形成角度を決めることができる。  
このため、媒体Ｍのセット位置ずれに伴う記録画像Ｐｉの記録場所のずれを抑制することができるほか、ユーザーにとって好ましい形成角度となるようにセット媒体Ｍ１に形成される記録画像Ｐｉを調整できる。  
例えば、図８（Ｃ）で表されるように、媒体Ｍのセット位置ずれ（セットする角度のずれ）がある場合、記録画像Ｐｉの形成角度を変更して記録画像Ｐｉをセット媒体Ｍ１に形成する必要がある。記録画像Ｐｉの形成角度を変更しないと破線で表される角度（所望の角度ではない角度）で記録画像Ｐｉが形成されてしまうためである。そこで、第１指定位置を指定位置Ｐ１（最初に記録される部分）、第２指定位置を指定位置Ｐ２（最後に記録される部分）とした場合、第１指定位置Ｐ１の位置を変更前（標準状態）の位置Ｐ１ｂから変更後の位置Ｐ１ａにし、第２指定位置Ｐ２の位置を変更前（標準状態）の位置Ｐ２ｂから変更後の位置Ｐ２ａにすることにより、媒体Ｍに対して所望の場所に所望の角度で記録画像Ｐｉを形成することができる。
【００３２】
また、本実施例の記録装置１では、加圧センサーＳ１は、画像データＩの第１画像位置（例えば画像データＩｐのうち記録画像Ｐｉの最初に記録される部分に対応する部分）に対応する画像範囲Ｐの第１指定位置（例えば記録画像Ｐｉの最初に記録される部分）と、画像データＩの第２画像位置（例えば画像データＩｐのうち記録画像Ｐｉの最後に記録される部分に対応する部分）に対応する画像範囲Ｐの第２指定位置（例えば記録画像Ｐｉの最後に記録される部分）と、をセット媒体Ｍ１において指定することにより、記録位置を指定可能である。換言すれば、指定部Ｓは、画像データＩの第１画像位置に対応する第１指定位置と、画像データＩの第２画像位置に対応する第２指定位置と、をセット媒体Ｍ１において指定することにより、記録位置を指定可能である。このため、媒体Ｍのセット位置ずれに伴う記録画像Ｐｉの記録位置ずれを抑制することができるほか、ユーザーにとって好ましい大きさ及び形成角度となるようにセット媒体Ｍ１に形成される記録画像Ｐｉを調整できる。  
例えば、図８（Ｄ）で表されるように、媒体Ｍのセット位置ずれ（セットする角度のずれ）がある場合、記録画像Ｐｉの形成角度を変更して記録画像Ｐｉをセット媒体Ｍ１に形成する必要がある。記録画像Ｐｉの形成角度を変更しないと破線で表される角度（所望の角度ではない角度）で記録画像Ｐｉが形成されてしまうためである。そこで、第１指定位置を指定位置Ｐ１（最初に記録される部分）、第２指定位置を指定位置Ｐ２（最後に記録される部分）とした場合、第１指定位置Ｐ１の位置を変更前（標準状態）の位置Ｐ１ｂから変更後の位置Ｐ１ａにし、第２指定位置Ｐ２の位置を変更前（標準状態）の位置Ｐ２ｂから変更後の位置Ｐ２ａにすることにより、媒体Ｍに対して所望の場所に所望の角度で記録画像Ｐｉを形成することができる。さらに、図８（Ｄ）で表されるように、第１指定位置と第２指定位置との２つの指定位置を指定することから、ユーザーにとって好ましい大きさ（倍率）で記録画像Ｐｉを形成することができる。
【００３３】
ここで、本実施例の記録装置１では、指定部は、トレイ４の媒体Ｍのセット面２５に設けられた加圧センサーＳ１であり、加圧されることで記録画像Ｐｉの記録位置を指定可能な構成である。言い換えれば、指定部Ｓは、セット部４における媒体Ｍのセット面に設けられた加圧センサーＳ１であり、加圧されることで記録位置を指定可能である。このため、簡単に記録画像Ｐｉの記録位置を指定可能である。ただし、このような構成の指定部に限定されない。以下に、本実施例の記録装置１とは別の構成の指定部を備える記録装置の実施例について説明する。
【００３４】
［実施例２］（図９）  
次に、本発明の実施例２に係る記録装置について説明する。  
図９は、本発明の実施例２に係る記録装置１に媒体Ｍをセットした状態を表す概略平面図であり、実施例１の図６に対応する図である。なお、上記実施例１と共通する構成部材は同じ符号で示しており、詳細な説明は省略する。  
本実施例の記録装置１は、指定部Ｓ（Ｓ３）の構成のみが実施例１の記録装置１と相違する。
【００３５】
本実施例の記録装置１では、指定部Ｓは、トレイ４及びタッチペン２１で構成される。詳細には、タッチペン２１はセット部としてのトレイ４の媒体Ｍのセット面２５と対向する対向位置における位置情報（トレイ４に対するタッチペン２１の先端部２２の位置情報）を取得可能であるとともに前記位置情報を制御部８に送信可能であり、前記位置情報を制御部８に送信することで記録画像Ｐｉの記録位置を指定可能である。換言すれば、指定部Ｓは、セット部４における媒体Ｍのセット面２５と対向する対向位置における位置情報を取得可能であり、位置情報を制御部８に送信することで記録位置を指定可能である。このため、本実施例の記録装置１も、簡単に記録画像Ｐｉの記録位置を指定可能である。  
なお、本実施例の指定部Ｓは、電磁波を送信及び受信して位置情報を取得する構成であるが、位置情報を取得可能な構成として、特に限定はない。人工衛星が発する電波を受信するＧＰＳ（Ｇｌｏｂａｌ  Ｐｏｓｉｔｉｏｎｉｎｇ  Ｓｙｓｔｅｍ）を利用する構成や、ジャイロセンサー、加速度センサー等の各種センサーを利用する構成であってもよい。
【００３６】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００３７】
本発明の第１の態様の記録装置１は、媒体のセット部４と、画像データＩに基づいて、媒体Ｍがセット部４にセットされた状態であるセット媒体Ｍ１に記録画像Ｐｉを記録可能な記録部７と、セット媒体Ｍ１における記録画像Ｐｉの記録位置を指定可能な指定部Ｓと、指定部Ｓにより指定された前記記録位置に記録画像Ｐｉを記録するよう制御する制御部８と、を備えることを特徴とする。
【００３８】
ここで、「記録位置」とは、「セット媒体Ｍ１における記録する場所」という意味のほか、「セット媒体Ｍ１に対して記録する角度」であってもよい意味である。  
本態様によれば、セット媒体Ｍ１における記録画像Ｐｉの記録位置を指定可能な指定部Ｓと、指定部Ｓにより指定された記録位置に記録画像Ｐｉを記録するよう制御する制御部８と、を備える。このため、媒体Ｍのセット位置ずれが生じていた場合でも、指定部Ｓにより記録位置を指定することで、媒体Ｍのセット位置ずれに伴う画像の記録位置ずれを抑制することができる。さらに、指定部Ｓにより記録位置を指定することで、ユーザーにとって好ましい位置に記録位置を変更して記録することもできる。
【００３９】
本発明の第２の態様の記録装置１は、前記第１の態様において、指定部Ｓは、画像データＩの所定の画像位置に対応する指定位置をセット媒体Ｍ１において指定することにより前記記録位置を指定可能であることを特徴とする。
【００４０】
本態様によれば、指定部Ｓは、画像データＩの所定の画像位置に対応する指定位置をセット媒体Ｍ１において指定することにより記録位置を指定可能である。このため、予め前記所定の画像位置を決めておくことで、指定部Ｓで指定位置を指定するという１ステップで簡単に記録位置を指定可能である。  
なお、「所定の画像位置」に特に限定はないが、例えば、画像データＩにおける端部の画素のデータに対応する画像位置Ｉ０や、記録画像Ｐｉの最初に記録される部分に対応する部分の画像位置Ｉ１などとすることができる。
【００４１】
本発明の第３の態様の記録装置１は、前記第１の態様において、画像データＩの任意の画像位置を受け付ける受付部８を備え、指定部Ｓは、セット媒体Ｍ１において前記任意の画像位置に対応する指定位置を指定することにより前記記録位置を指定可能であることを特徴とする。
【００４２】
本態様によれば、指定部Ｓは、受付部８が受け付けた任意の画像位置に対応する指定位置を指定することにより記録位置を指定可能である。すなわち、例えば、ユーザーがモニター２３などで画像データＩの任意の画像位置を指定し、指定された画像位置に対応する指定位置を指定部Ｓで指定することにより、ユーザーにとってより好ましい記録位置を指定できる。
【００４３】
本発明の第４の態様の記録装置１は、前記第１から第３のいずれか１つの態様において、指定部Ｓは、画像データＩの第１画像位置に対応する第１指定位置と、画像データＩの第２画像位置に対応する第２指定位置と、をセット媒体Ｍ１において指定することにより、前記記録位置を指定可能であることを特徴とする。
【００４４】
本態様によれば、指定部Ｓは、第１画像位置に対応する第１指定位置と、第２画像位置に対応する第２指定位置と、をセット媒体Ｍ１において指定することにより記録位置を指定可能である。このため、媒体Ｍのセット位置ずれに伴う記録画像Ｐｉの記録位置ずれを抑制することができるほか、ユーザーにとって好ましい大きさ及び形成角度となるようにセット媒体Ｍ１に形成される記録画像Ｐｉを調整できる。
【００４５】
本発明の第５の態様の記録装置１は、前記第１から第３のいずれか１つの態様において、指定部Ｓは、画像データＩの第１画像位置に対応する第１指定位置と、セット媒体Ｍ１に対する記録画像Ｐｉの形成角度と、を指定可能であることを特徴とする。
【００４６】
本態様によれば、指定部Ｓは、第１指定位置と、セット媒体Ｍ１に対する記録画像Ｐｉの形成角度と、を指定可能である。例えば、第１指定位置と第２指定位置とを指定することで、第１指定位置を基準とした記録位置を決めることができる。そして、第１指定位置及び第２指定位置を結ぶ指定位置直線と、画像データＩの第１指定位置に対応する第１画像位置及び第２指定位置に対応する第２画像位置を結ぶ画像位置直線と、に基づいて、セット媒体Ｍ１に対する記録画像Ｐｉの形成角度を決めることができる。このため、媒体Ｍのセット位置ずれに伴う記録画像Ｐｉの記録場所のずれを抑制することができるほか、ユーザーにとって好ましい形成角度となるようにセット媒体Ｍ１に形成される記録画像Ｐｉを調整できる。
【００４７】
本発明の第６の態様の記録装置１は、前記第１から第５のいずれか１つの態様において、指定部Ｓは、セット部４の媒体Ｍのセット面２５に設けられた加圧センサーＳ１であり、加圧されることで前記記録位置を指定可能であることを特徴とする。
【００４８】
本態様によれば、指定部Ｓは、セット面２５に設けられた加圧センサーＳ１であり、加圧されることで記録画像Ｐｉの記録位置を指定可能である。このため、簡単に記録画像Ｐｉの記録位置を指定可能である。
【００４９】
本発明の第７の態様の記録装置１は、前記第１から第５のいずれか１つの態様において、指定部Ｓは、セット部４の媒体Ｍのセット面２５と対向する対向位置における位置情報を取得可能であるとともに前記位置情報を制御部８に送信可能であり、前記位置情報を制御部８に送信することで前記記録位置を指定可能であることを特徴とする。
【００５０】
本態様によれば、指定部Ｓは、セット面２５と対向する対向位置における位置情報を取得可能であるとともに位置情報を制御部８に送信可能であり、位置情報を制御部８に送信することで記録画像Ｐｉの記録位置を指定可能である。このため、簡単に記録画像Ｐｉの記録位置を指定可能である。  
なお、「位置情報を取得可能」な構成としては、例えば、電磁波を送信及び受信して位置情報を取得する構成などが挙げられるが、その構成に特に限定はない。
【００５１】
本発明の第８の態様の記録方法は、媒体Ｍのセット部４と、画像データＩに基づいてセット部４にセットされた媒体Ｍであるセット媒体Ｍ１に記録画像Ｐｉを記録可能な記録部７と、を備える記録装置１における記録方法であって、セット媒体Ｍ１における記録画像Ｐｉの記録位置を指定する指定工程と、前記指定工程で指定された前記記録位置に記録画像Ｐｉを記録する記録工程と、を有することを特徴とする。
【００５２】
本態様によれば、セット媒体Ｍ１における記録画像Ｐｉの記録位置を指定する指定工程と、指定工程で指定された記録位置に記録画像Ｐｉを記録する記録工程と、を有する。このため、媒体Ｍのセット位置ずれが生じていた場合でも、指定工程により記録位置を指定することで、媒体Ｍのセット位置ずれに伴う記録画像Ｐｉの記録位置ずれを抑制することができる。さらに、指定工程により記録位置を指定することで、ユーザーにとって好ましい位置に記録位置を変更して記録することもできる。
【符号の説明】
【００５３】
１  記録装置、２  媒体支持ユニット、３  媒体搬送部、４  トレイ（セット部）、
５  ステージ、６  キャリッジ、７  記録ヘッド（記録部）、８  制御部（受付部）、
９  ＣＰＵ、１０  システムバス、１１  ＲＯＭ、１２  ＲＡＭ、
１３  ヘッド駆動部、１４  キャリッジモーター、１５  搬送モーター、１６  ＰＣ、
１７  モーター駆動部、１８  入出力部、１９  操作パネル、２０  回転レバー、
２１  タッチペン、  ２２  タッチペン２１の先端部、２３  モニター、
２４  ポインタ、２５  トレイ４の媒体Ｍのセット面、Ｉ  画像データ、
Ｉ０  画像データＩにおける所定の画像位置、
Ｉ１  画像データＩにおける所定の画像位置、
Ｉｎ  記録されない部分に対応する画像データ、
Ｉｐ  記録する部分に対応する画像データ、Ｍ  媒体、Ｐ  画像範囲、
Ｐ０  画像位置Ｉ０に対応する指定位置、
Ｐ１  画像位置Ｉ１に対応する指定位置、Ｐｉ  記録画像、Ｐｎ  非記録画像、
Ｓ  指定部、Ｓ１  加圧センサー（指定部）、Ｓ２  ＰＧセンサー、Ｓ３  指定部、
Ｓｅ  発光部、Ｓｒ  受光部
【図１】
0006557986.tif 000002
【図２】
0006557986.tif 000003
【図３】
0006557986.tif 000004
【図４】
0006557986.tif 000005
【図５】
0006557986.tif 000006
【図６】
0006557986.tif 000007
【図７】
0006557986.tif 000008
【図８】
0006557986.tif 000009
【図９】
0006557986.tif 000010